【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】
アンテナゲインの異なる複数のアンテナと、
前記複数のアンテナのうちから何れか１つを選択する選択手段と、
前記選択手段により選択されているアンテナから出力される信号が供給され信号処理を行う信号処理手段と、
各アンテナから出力される信号のレベルを検出する検出手段と、
前記検出手段の検出結果に基づいて所定レベルより高いレベルの信号を出力するアンテナが複数存在すると判断した場合に、該アンテナのうちからアンテナゲインの低いアンテナを選択するように前記選択手段を制御する制御手段と、
を備えることを特徴とする受信装置。
【請求項２】
前記制御手段は、前記検出手段の検出結果に基づいて前記所定レベルより低いレベルの信号を出力するアンテナのみが存在すると判断した場合に、アンテナゲインの高いアンテナを選択するように前記選択手段を制御することを特徴とする請求項１に記載の受信装置。
【請求項３】
アンテナゲインの異なる複数のアンテナと、
前記複数のアンテナのうちから何れか１つを選択する選択手段と、
前記選択手段により選択されているアンテナから出力される信号が供給され信号処理を行う信号処理手段と、
前記選択手段により選択されているアンテナから出力される信号のレベルを検出する検出手段と、
前記検出手段の検出結果に基づいて前記選択されているアンテナから出力される信号のレベルが第１の所定レベルより高いと判断した場合に、前記選択されているアンテナのアンテナゲインより低いアンテナゲインを有するアンテナを選択するように前記選択手段を制御する制御手段と、
を備えることを特徴とする受信装置。
【請求項４】
前記制御手段は、前記選択手段により選択されているアンテナから出力される信号のレベルが前記第１の所定レベルより低いレベルである第２の所定レベルより低いと判断した場合に、前記選択されているアンテナのアンテナゲインより高いアンテナゲインを有するアンテナを選択するように前記選択手段を制御することを特徴とする請求項３に記載の受信装置。
【手続補正２】
【補正対象書類名】明細書
【補正対象項目名】０００５
【補正方法】変更
【補正の内容】
【０００５】
上記目的を達成するための本発明の受信装置は、アンテナゲインの異なる複数のアンテナと、前記複数のアンテナのうちから何れか１つを選択する選択手段と、前記選択手段により選択されているアンテナから出力される信号が供給され信号処理を行う信号処理手段と、各アンテナから出力される信号のレベルを検出する検出手段と、前記検出手段の検出結果に基づいて所定レベルより高いレベルの信号を出力するアンテナが複数存在すると判断した場合に、該アンテナのうちからアンテナゲインの低いアンテナを選択するように前記選択手段を制御する制御手段と、を備えることを特徴とする。
【手続補正３】
【補正対象書類名】明細書
【補正対象項目名】０００６
【補正方法】変更
【補正の内容】
【０００６】
また、前記制御手段は、前記所定レベルより低いレベルの信号を出力するアンテナのみが存在する場合に、アンテナゲインの高いアンテナを選択するように前記選択手段を制御することを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
かかる構成を有する本発明の受信装置によれば、信号処理手段において良好に信号処理できるレベルの信号を出力するアンテナを受信アンテナとして選択する。これにより、最大入力感度の向上を実現する。例えば、高強度の到来電波を受信するような場合でも、自動的にアンテナゲインの低いアンテナを選んで受信用アンテナに設定することにより、最大入力感度の向上を図り、波形歪み等の発生を未然に防止する。
【手続補正６】
【補正対象書類名】明細書
【補正対象項目名】０００９
【補正方法】変更
【補正の内容】
【０００９】
また、上記目的を達成するための本発明の受信装置は、アンテナゲインの異なる複数のアンテナと、前記複数のアンテナのうちから何れか１つを選択する選択手段と、前記選択手段により選択されているアンテナから出力される信号が供給され信号処理を行う信号処理手段と、前記選択手段により選択されているアンテナから出力される信号のレベルを検出する検出手段と、前記検出手段の検出結果に基づいて前記選択されているアンテナから出力される信号のレベルが第１の所定レベルより高いと判断した場合に、前記選択されているアンテナのアンテナゲインより低いアンテナゲインを有するアンテナを選択するように前記選択手段を制御する制御手段と、を備えることを特徴とする。
【手続補正７】
【補正対象書類名】明細書
【補正対象項目名】００１０
【補正方法】変更
【補正の内容】
【００１０】
また、前記制御手段は、前記選択手段により選択されているアンテナから出力される信号のレベルが前記第１の所定レベルより低いレベルである第２の所定レベルより低いと判断した場合に、前記選択されているアンテナのアンテナゲインより高いアンテナゲインを有するアンテナを選択するように前記選択手段を制御することを特徴とする。
【手続補正８】
【補正対象書類名】明細書
【補正対象項目名】００１１
【補正方法】変更
【補正の内容】
【００１１】
かかる構成を有する本発明の受信装置によれば、現在の受信アンテナから出力される信号のレベルが前記信号処理手段において良好に信号処理できる所定レベルより高くなると、よりアンテナゲインの低いアンテナを新たな受信用アンテナとして切替設定する。これにより、最大入力感度の向上を実現する。例えば、偏波特性等の形態の異なる種類の電波に対して専用に設けられている複数のアンテナで受信する場合に、受信中の電波を受信するための専用アンテナとは異なるアンテナ（アンテナゲインの低いアンテナ）で受信するように切替設定することで、最大入力感度の向上を図り、波形歪み等の発生を未然に防止することを可能にする。
【手続補正９】
【補正対象書類名】明細書
【補正対象項目名】００３０
【補正方法】変更
【補正の内容】
【００３０】
一方、ステップＳ１０８において、第１の閾値ＴＨＤ１より大きな受信レベルとなったアンテナが１個も存在しなかった場合（「ＮＯ」の場合）には、ステップＳ１１２に移行して、各アンテナＡＮＴ１，ＡＮＴ２，…，ＡＮＴｎの夫々の受信レベルと第２の閾値ＴＨＤ２とを比較する。ここで、第２の閾値ＴＨＤ２は、信号処理部１から出力させる再生信号によって良好なオーディオ再生や映像再生を行うことができる場合に、各アンテナＡＮＴ１，ＡＮＴ２，…，ＡＮＴｎの内の最低の受信レベルと等しいレベルに設定されている。別言すれば、第２の閾値ＴＨＤ２は、信号処理部１を負荷として各アンテナＡＮＴ１，ＡＮＴ２，…，ＡＮＴｎから取り出される各受信電力のうち、良好なオーディオ再生や映像再生を行うことが可能な最低の受信電力が得られるときの受信レベルと等しいレベルに設定され、予め実験によって決められている。したがって、第１の閾値ＴＨＤ１と第２の閾値ＴＨＤ２との関係では、ＴＨＤ１＞ＴＨＤ２となっている。
【手続補正１０】
【補正対象書類名】明細書
【補正対象項目名】００７４
【補正方法】変更
【補正の内容】
【００７４】
【発明の効果】
以上説明したように本発明の受信装置によれば、複数のアンテナを用いて受信する受信装置において、信号処理手段において良好に信号処理できるレベルの信号を出力するアンテナを受信アンテナとして選択するようにしたので、最大入力感度の向上を図り、波形歪み等の発生を未然に防止することが可能な受信装置を提供することができる。
【手続補正１１】
【補正対象書類名】明細書
【補正対象項目名】００７５
【補正方法】変更
【補正の内容】
【００７５】
また、複数のアンテナを利用して受信する受信装置において、現在の受信アンテナから出力される信号のレベルが前記信号処理手段において良好に信号処理できる所定レベルより高くなると、よりアンテナゲインの低いアンテナを新たな受信用アンテナとして切替設定するようにしたので、最大入力感度の向上を図り、波形歪み等の発生を未然に防止することが可能な受信装置を提供することができる。